(57)【要約】      （修正有）【課題】既存の蓋と容器とを組み合わせる構造の包装箱を改良することによって、包装対象の商品の大きさ、形状、取り出しやすさ、開封時の見栄えを良くし、しかも、必要以上の資材の増加を抑制した組合せ箱を提供する。【解決手段】第１内底部１１から立設された第１壁部１２の上端部１３によって形成された第１開口部１４を有する第１箱体１０と、第２内底部から立設された第２壁部の上端部によって形成され第１開口部の上端部と突合する第２開口部を有する第２箱体２０と、第１壁部及び第２壁部の高さより高くかつ第１壁部及び第２壁部の内側面に配置される透明部材または半透明部材から形成される連結枠部３０を備え、第１箱体と第２箱体とが交互自在に合着して単一の収容空間が形成される。【選択図】図１
0003181926.tif 000002
【実用新案登録請求の範囲】
【請求項１】
第１内底部から立設された第１壁部の上端部によって形成された第１開口部を有する第１箱体と、
第２内底部から立設された第２壁部の上端部によって形成され前記第１開口部の上端部と突合する第２開口部を有する第２箱体と、
前記第１壁部及び前記第２壁部の高さより高くかつ前記第１壁部及び前記第２壁部の内側面に配置される連結枠部とを備え、
前記第１箱体と前記第２箱体とが交互自在に合着して単一の収容空間を形成するようにした
ことを特徴とする組合せ箱。
【請求項２】
前記連結枠部が透明部材または半透明部材から形成される請求項１に記載の組合せ箱。
【請求項３】
前記第１壁部と前記第２壁部の高さが互いに異なる請求項１または２に記載の組合せ箱。
【請求項４】
前記連結枠部が箱形状である請求項１ないし３のいずれか１項に記載の組合せ箱。
【請求項５】
前記連結枠部の下端に前記第１箱体または前記第２箱体と係止する係止部が設けられ、前記第１箱体及び前記第２箱体の双方に前記係止部と対応する係止孔部が設けられている請求項１ないし４のいずれか１項に記載の組合せ箱。
【請求項６】
前記第１箱体と前記第２箱体における少なくとも外表面が、互いに異なる色彩または模様を有している請求項１ないし５のいずれか１項に記載の組合せ箱。
【請求項７】
前記第１箱体及び前記第２箱体が、平面視において長方形、正方形、円形、楕円形、または多角形の形状である請求項１ないし６のいずれか１項に記載の組合せ箱。
【請求項８】
前記収容空間に仕切り部材が配置される請求項１ないし７のいずれか１項に記載の組合せ箱。
【考案の詳細な説明】
【技術分野】
【０００１】
本考案は組合せ箱に関し、特に、蓋部分と容器部分を適時入れ替えて用いることができる組合せ箱に関する。
【背景技術】
【０００２】
菓子類、雑貨品等の各種の小物品を収容する包装箱は、装飾性に大きく影響を与えるため内容物である商品の付加価値を高める上で重要な要素である。そのため、包装箱の材質に加えて表面に施す模様、包装箱自体の形状についても創意工夫が成されている。例えば、紙製の包装箱の場合、商品とともに季節柄、時候を演出するために表面に適宜の印刷が施される（特許文献１等参照）。
【０００３】
包装箱の構造として、包装箱自体に蓋を備えて一体化した構造の他に、蓋と容器が別体であり包装時に組み合わせる構造の包装箱がある。一般に、蓋と容器が別体の包装箱は部品数が増えて複雑になるため包装箱自体の価格も高くなる。そのため、蓋と容器が別体の包装箱は、装飾性や箱形状等の見栄えから、主に高価格商品や贈答用商品の包装に用いられることが多い。
【０００４】
現状、蓋と容器とを組み合わせる包装箱の構造はほぼ確立されており、特徴を出す場合、箱の表面の印刷や素材の選択等に留まっていた。そこで、今まで以上に包装する商品の形状や商品印象の演出に応じて新たな訴求効果を発揮するとともに、包装箱資材の在庫保有の軽減も可能とする新たな包装箱が求められている。
【先行技術文献】
【特許文献】
【０００５】
【特許文献１】意匠登録第１３７１７９３号
【考案の概要】
【考案が解決しようとする課題】
【０００６】
本考案は前記の点に鑑みなされたものであり、既存の蓋と容器とを組み合わせる構造の包装箱を改良することによって、包装対象の商品の大きさ、形状、取り出しやすさ、開封時の見栄えを良くし、しかも、必要以上の資材の増加を抑制した組合せ箱を提供する。
【課題を解決するための手段】
【０００７】
すなわち、請求項１の考案は、第１内底部から立設された第１壁部の上端部によって形成された第１開口部を有する第１箱体と、第２内底部から立設された第２壁部の上端部によって形成され前記第１開口部の上端部と突合する第２開口部を有する第２箱体と、前記第１壁部及び前記第２壁部の高さより高くかつ前記第１壁部及び前記第２壁部の内側面に配置される連結枠部とを備え、前記第１箱体と前記第２箱体とが交互自在に合着して単一の収容空間を形成するようにしたことを特徴とする組合せ箱に係る。
【０００８】
請求項２の考案は、前記連結枠部が透明部材または半透明部材から形成される請求項１に記載の組合せ箱に係る。
【０００９】
請求項３の考案は、前記第１壁部と前記第２壁部の高さが互いに異なる請求項１または２に記載の組合せ箱に係る。
【００１０】
請求項４の考案は、前記連結枠部が箱形状である請求項１ないし３のいずれか１項に記載の組合せ箱に係る。
【００１１】
請求項５の考案は、前記連結枠部の下端に前記第１箱体または前記第２箱体と係止する係止部が設けられ、前記第１箱体及び前記第２箱体の双方に前記係止部と対応する係止孔部が設けられている請求項１ないし４のいずれか１項に記載の組合せ箱に係る。
【００１２】
請求項６の考案は、前記第１箱体と前記第２箱体における少なくとも外表面が、互いに異なる色彩または模様を有している請求項１ないし５のいずれか１項に記載の組合せ箱に係る。
【００１３】
請求項７の考案は、前記第１箱体及び前記第２箱体が、平面視において長方形、正方形、円形、楕円形、多角形の形状である請求項１ないし６のいずれか１項に記載の組合せ箱に係る。
【００１４】
請求項８の考案は、前記収容空間に仕切り部材が配置される請求項１ないし７のいずれか１項に記載の組合せ箱に係る。
【考案の効果】
【００１５】
請求項１の考案に係る組合せ箱によると、第１内底部から立設された第１壁部の上端部によって形成された第１開口部を有する第１箱体と、第２内底部から立設された第２壁部の上端部によって形成され前記第１開口部の上端部と突合する第２開口部を有する第２箱体と、前記第１壁部及び前記第２壁部の高さより高くかつ前記第１壁部及び前記第２壁部の内側面に配置される連結枠部とを備え、前記第１箱体と前記第２箱体とが交互自在に合着して単一の収容空間を形成するようにしたため、既存の蓋と容器とを組み合わせる構造の包装箱を改良することによって、包装対象の商品の大きさ、形状、取り出しやすさ、開封時の見栄えを良くし、しかも、必要以上の資材の増加を抑制することができる。そして、新規な組合せ箱としての有効な商品提案力を発揮できる。
【００１６】
請求項２の考案に係る組合せ箱によると、請求項１の考案において、前記連結枠部が透明部材または半透明部材から形成されるため、連結枠部による圧迫感は低減され、組合せ箱を開けた際の内容物の見栄えも良くなる。また、組合せ箱の内側の配色は連結枠部を透過し、内容物である商品演出に好適である。
【００１７】
請求項３の考案に係る組合せ箱によると、請求項１または２の考案において、前記第１壁部と前記第２壁部の高さが互いに異なるため、内容物である商品の形状、特性に柔軟に対応することができる。共通する箱体の入れ替えのみであるため、別途資材を用意する必要はなく、経費節減に寄与できる。
【００１８】
請求項４の考案に係る組合せ箱によると、請求項１ないし３のいずれかの考案において、前記連結枠部が箱形状であるため、連結枠部自体も変形しにくくなり、型くずれを防ぐことができる。
【００１９】
請求項５の考案に係る組合せ箱によると、請求項１ないし４のいずれかの考案において、前記連結枠部の下端に前記第１箱体または前記第２箱体と係止する係止部が設けられ、前記第１箱体及び前記第２箱体の双方に前記係止部と対応する係止孔部が設けられているため、連結枠部と第１箱体または第２箱体とのはめ込みのみで強固に双方を固定することができる。
【００２０】
請求項６の考案に係る組合せ箱によると、請求項１ないし５のいずれかの考案において、前記第１箱体と前記第２箱体における少なくとも外表面が、互いに異なる色彩または模様を有しているため、第１箱体と第２箱体を入れ替えて組合せ箱としての装飾効果を高めることができる。
【００２１】
請求項７の考案に係る組合せ箱によると、請求項１ないし６のいずれかの考案において、前記第１箱体及び前記第２箱体が、平面視において長方形、正方形、円形、楕円形、または多角形の形状であるため、入れ替え可能な組合せ箱に形状の多様性や面白さを付与することができる。
【００２２】
請求項８の考案に係る組合せ箱によると、請求項１ないし７のいずれかの考案において、前記収容空間に仕切り部材が配置されるため、商品の位置ずれを防ぐとともに、商品の見栄えを良くし、商品の訴求効果を高めることができる。
【図面の簡単な説明】
【００２３】
【図１】第１実施例の組合せ箱の分解斜視図である。
【図２】図１の組合せ箱の全体斜視図である。
【図３】第１実施例の第２箱体を蓋とした場合の斜視図である。
【図４】第１実施例の第１箱体を蓋とした場合の斜視図である。
【図５】他の連結枠部の例による組合せ箱の分解斜視図である。
【図６】第２実施例の組合せ箱の分解斜視図及び全体斜視図である。
【図７】第３実施例の組合せ箱の分解斜視図及び全体斜視図である。
【図８】第４実施例の組合せ箱の分解斜視図及び全体斜視図である。
【図９】仕切り部材を示す斜視図である。
【図１０】他の仕切り部材を示す斜視図である。
【図１１】両箱体の開口部付近の拡大端面図である。
【考案を実施するための形態】
【００２４】
本考案の組合せ箱の構造について、図１及び図２の第１実施例の斜視図を用い説明する。組合せ箱１Ａは、第１箱体１０と、第２箱体２０と、連結枠体３０の部材を備えて構成される（図１参照）。そして、第１箱体１０と第２箱体２０が合着して単一の収容空間ＩＳが形成される（図２参照）。第１実施例の組合せ箱１Ａは長方形形状である。組合せ箱１Ａ（後出の１Ｂ，１Ｃ，１Ｄも同様）は、主に洋菓子、和菓子をはじめ、缶詰、飲料や酒類の瓶容器、石けん、化粧品、香水、装身具、衣料品、文房具、時計、宝飾品、その他各種物品の包装用途に用いられる。むろん、列挙に限らず、顧客の要望に応じた物品の包装にも対応できる。組合せ箱の材質は、紙、木、金属、樹脂製品等のいずれから形成しても良く、用途、目的等に応じて適宜である。
【００２５】
第１箱部１０は第１内底部１１から立設された第１壁部１２を備えた箱状の容器となる。第１壁部１２の縁部分は上端部１３であり、第１箱体１０の第１開口部１４は第１壁部１２の沿う上端部１３により形成される。第２箱部２０も第２内底部２１から立設された第２壁部２２を備えた箱状の容器となる。第２壁部２２の縁部分は上端部２３であり、第２箱体２０の第２開口部２４は第１壁部２２の沿う上端部２３により形成される。後述するように、第１箱体１０と第２箱体２０は入れ替え可能であるため、第１内底部１１と第２内底部２１は、いずれもが組合せ箱の底であり、蓋となり得る。図１中、符号１６は第１箱体の外表面、２６は第２箱体の外表面である。
【００２６】
組合せ箱１Ａは第１箱体１０と第２箱体２０の組合せにより形成されるため、第２箱体２０の第２開口部２４の上端部２３は、第１箱体１０の第１開口部１４の上端部１３と突合する。図示の第１箱体１０の上端部１３と第２箱体２０の上端部２３は互いに面同士で接触可能である。第１箱体１０の第１開口部１４と第２箱体２０の第２開口部２４は同形状であり、第１箱体１０と第２箱体２０の合着に支障を来さない。
【００２７】
図示の第１実施例における第１箱体１０及び第２箱体２０の場合、第１箱体１０の上端部１３と第２箱体２０の上端部２３はともに平坦であり噛み合うことはなく、そのままでは第１箱体１０及び第２箱体２０を安定して合着させることはできない。そこで、第１箱体１０及び第２箱体２０を互いに連結させるべく連結枠部３０が用いられる。
【００２８】
連結枠部３０は第１壁部１２の高さＨ１及び第２壁部２２の高さＨ２より高い高さＨ３に形成される。そして、連結枠部３０は第１壁部１２の内側面１５及び第２壁部２２の内側面２５の形状に対応してされそれぞれの内側面１５，２５内に配置される。内側面への密着、固定性能を加味して連結枠部３０は帯状に形成される。図１に示すように、連結枠部３０は高さＨ３の長方形の４面を有する枠形状である。
【００２９】
実施例の連結枠部３０は、請求項２の考案に規定するように、透明部材または半透明部材から形成される。具体的には、ポリプロピレン樹脂、ＰＥＴ樹脂、ポリスチレン樹脂、ナイロン樹脂等の合成樹脂、あるいは、透過性のある紙、厚手のセロハン等である。連結枠部３０を透明部材または半透明部材とすることにより、連結枠部の圧迫感は低減され、組合せ箱１Ａを開けた際の内容物の見栄えも良くなる。また、透明部材または半透明部材であることから、第１箱体１０の内側面１５もしくは第２箱体２０の内側面２５の配色は連結枠部３０を透過し、内容物である商品演出に都合良くなる。
【００３０】
図３及び図４の斜視図を用い、第１実施例の組合せ箱１Ａを構成する第１箱体１０と第２箱体２０の高さの関係を説明する。図１ないし図４から自明であり、請求項３の考案に規定するように、第１壁部１２の高さＨ１と第２壁部２２の高さＨ２は互いに異なる高さである。第１実施例では、第１壁部１２の高さＨ１が第２壁部２２の高さＨ２よりも高く形成されている。
【００３１】
図３は、第１箱体１０を容器とし第２箱体２０を蓋とした状態を示す。第１箱体１０の内側面１５に連結枠部３０を収容した際、高さの違いから必ず連結枠部３０は第１壁部１２の上端部１３よりも露出する。従って、対になる第２箱体２０の第２壁部２２が、連結枠部３０が第１箱体１０の第１壁部１２から露出した枠部位３１を介して組み合わせられる。容器側となる第１箱体１０の高さＨ１を高くして深く形成する場合、第１箱体１０側の見かけの内容量が増加する。例えば、高さのある菓子類、小袋詰めの菓子類、香水等の小瓶を多く収める場合に都合がよい。
【００３２】
図４は、図３とは逆に第２箱体２０を容器とし第１箱体１０を蓋とした状態を示す。第２箱体２０の内側面２５に連結枠部３０を収容した際、高さの違いから必ず連結枠部３０は第２壁部２２の上端部２３よりも露出する。そこで、同様に、連結枠部３０が第２箱体２０の第２壁部２２から露出した枠部位３２を介して組み合わせられる。第２箱体１０の高さＨ２は第１箱体１０よりも低い、また同一の連結枠部３０を使用しているため、自明ながら第２箱体２０の第２壁部２２から露出した枠部位３２はより大きくなる。
【００３３】
容器側となる第２箱体２０の高さＨ２を低くして浅く形成する場合、第２箱体２０側の見かけの内容量は減少する。例えば、１本のロールケーキをホールのまま、あるいは長尺の瓶等を寝せて収容する場合である。開封後、連結枠部３０を取り外せば内容物は取り出しやすくなる。なお、連結枠部３０の高さＨ３自体に変わりはないため、図４の場合であっても内容物の収容し易さ、収容後の型くずれしにくさは担保される。
【００３４】
図５は別形態の連結枠部３０ｘの開示である。第１実施例の組合せ箱１Ａを用い、連結枠部３０ｘとこれに関連する構造を説明する。連結枠部３０ｘは、請求項４の考案に規定するように、当該連結枠部３０ｘの下端３５に底板部３４が備えられ全体として連結枠部自体も箱形状を成している。連結枠部が箱形状となることにより、第１箱体１０または第２箱体２０に装着する際の安定性が良くなる。また、連結枠部自体も変形しにくくなり、型くずれを防ぐことができる。
【００３５】
さらに、連結枠部３０ｘの下端３５には、請求項５の考案に規定するように、第１箱体１０または第２箱体２０と係止するための係止部３６が設けられている。図示の係止部３６は、連結枠部３０ｘの下端の４辺に突出した爪片部として形成されている。併せて、連結枠部３０ｘが各箱体に装着された際、第１箱体１０及び第２箱体２０の各係止部３６と対応する位置に係止孔部３７が設けられている。図示の係止部３６と係止孔部３７による係合とすることにより、連結枠部と第１箱体または第２箱体との固定はより強固となる。また、はめ込みによる固定で済むため、連結枠部の固定のための接着剤や貼り付けのテープ等を使用しなくても良く、組合せ箱を製造する作業が簡素化する。図示しないものの、第２箱体にも同様に係止孔部は設けられる。
【００３６】
このように、連結枠部３０（３０ｘ）を使用することによって、第１箱体１０及び第２箱体２０の個々の箱体やその上端部に特別の加工を施さなくても安定した合着は可能となる。また、第１箱体１０と第２箱体２０の上下入れ替えは可能であり、双方は交互自在に合着して単一の収容空間を形成できる。そこで、内容物である商品の形状、特性に柔軟に対応することができる。共通する箱体の入れ替えのみであるため、別途資材を用意する必要はなく、経費節減に寄与できる。なお、連結枠部は帯状、箱状のいずれであっても係止部を設けて固定をより強固にすることができる。
【００３７】
図６は本考案の第２実施例となる組合せ箱１Ｂを示す。第２実施例の組合せ箱１Ｂでは、第１箱体１０ｂと第２箱体２０ｂを互い同形状とし、さらに、それぞれの高さＨ１とＨ２も同一としている。それぞれ平面視で正方形形状であり、第１箱体１０ｂと第２箱体２０ｂは連結枠部３０を介し交互自在に合着して組み合わされる。
【００３８】
組合せ箱１Ｂにあっては、第１箱体１０ｂの外表面１６ｂと第２箱体２０ｂの外表面２６ｂは、互いに異なる模様を有している。図６の上段では、容器側の第１箱体１０ｂの外表面１６ｂを市松模様とし、蓋側の第２箱体２０ｂの外表面２６ｂを対角線で区切った模様としている。双方の箱体の模様を違えることにより組合せ箱の装飾効果がより高まる。
【００３９】
図６の下段は、箱体の容器側と蓋側とを入れ替えて合着した様子である。特に、組合せ箱１Ｂは形態の面白さを発揮するため、縦、横、高さの寸法を全て一致させ立方体とした。このように、最初に目にする蓋側の模様いかんにより組合せ箱から受ける印象は変わる。そこで、共通する箱体を用いながらも異なった印象を与えることができる。なお、組合せ箱１Ｂは立方体であるがゆえに、容器側と蓋側の関係は上下に留まらず前後、左右等の適宜となる。
【００４０】
図７は本考案の第３実施例となる組合せ箱１Ｃを示す。第３実施例の組合せ箱１Ｃでも、第１箱体１０ｃと第２箱体２０ｃは互い同形状であり高さも同一である（Ｈ１＝Ｈ２）。それぞれ平面視で円形形状であり、第１箱体１０ｃと第２箱体２０ｃは連結枠部３０を介し交互自在に合着して組み合わされる。しかも、第１箱体１０ｃと第２箱体２０ｃを組み合わせた後は円筒体を構成する。なお、平面視における楕円形形状は当該第３実施例の組合せ箱１Ｃと近似するため図示並びに説明を省略する。
【００４１】
組合せ箱１Ｃにあっては、第１箱体１０ｃの外表面１６ｃと第２箱体２０ｃの外表面２６ｃは、互いに異なる色彩を有している。図７の上段では、容器側の第１箱体１０ｃの外表面１６ｃに彩色し、蓋側の第２箱体２０ｃの外表面２６ｃを外表面１６ｃよりも薄い彩色としている。双方の箱体の色彩を違えることにより組合せ箱の装飾効果がより高まる。図７の下段は、容器側と蓋側とを入れ替えて合着した様子である。最初に目にする蓋側の色彩いかんにより組合せ箱から受ける印象は変わる。このように、共通する箱体を用いながらも異なった印象を演出することができる。
【００４２】
図８は本考案の第４実施例となる組合せ箱１Ｄを示す。第４実施例の組合せ箱１Ｄでは、第１箱体１０ｄと第２箱体２０ｄは、それぞれ平面視で五角形形状であり、第１箱体１０ｄと第２箱体２０ｄは連結枠部３０を介し交互自在に合着して組み合わされる。しかも、第１箱体１０ｄと第２箱体２０ｄを組み合わせた後は五角柱を構成する。組合せ箱１Ｄにおいて、第１箱体１０ｄの高さＨ１ｄ第２箱体２０ｄの高さＨ２ｄは異なる高さ（Ｈ１ｄ＜Ｈ２ｄ）である。
【００４３】
組合せ箱１Ｄにあっては、第１箱体１０ｄの外表面１６ｄと第２箱体２０ｄの外表面２６ｄは、互いに異なる色彩を有している。図８の上段のとおり、蓋側の第２箱体２０ｄの外表面２６ｄは無地無模様としながらも、容器側となる第１箱体１０ｄの外表面１６ｄに当該表面に適宜色彩、模様の帯状の布もしくは紙等が巻き付けられた例である。箱体表面の印刷のみとする場合に比べて箱体表面に布や紙の感触も付与される。双方の箱体の色彩や模様に質感の相違も加わることにより、組合せ箱の装飾効果がよりいっそう高まる。図８の下段は、容器側と蓋側とを入れ替えて合着した様子である。最初に目にする蓋側の質感いかんにより組合せ箱から受ける印象は変わる。このように、入れ替え可能な組合せ箱に形状や模様等の多様性や面白さを付与することができる。
【００４４】
図６の第１箱体１０ｂ及び第２箱体２０ｂ、図７の第１箱体１０ｃ及び第２箱体２０ｃ、並びに図８の第１箱体１０ｄ及び第２箱体２０ｄの各部に付した符号において、前掲図１ないし図４と共通する符号は、共通する部位を示し、説明を省略する。図６ないし図８の第２、第３、及び第４実施例の組合せ箱は、請求項６及び請求項７の考案に規定するように、異なる外表面の態様、形状の例である。第２ないし第４実施例の組合せ箱１Ｂ，１Ｃ，１Ｄにおいても、連結枠部は帯状または箱形状のいずれを採用することができ、それぞれの連結枠部に係止部を設けることもできる。
【００４５】
図９及び図１０は、請求項８の考案に規定するように、組合せ箱の収容空間内に仕切り部材を配置した組合せ箱である。前掲図１等に開示した第１実施例の第１箱体を例に説明する。図９において、仕切り部材４１は、第１箱体１０内に組み込まれた連結枠部３０の内側となる収容空間ＩＳの内部に挿入され、規定位置に配置される。仕切り部材４１は仕切り板４２，４３からなり、当該仕切り板により区画部４４が形成される。小物商品を組合せ箱に収容する際、位置ずれを防ぐことができる。また、区画部４４ごとに異なる種類の商品を配置することもでき、区分けや視覚上の見栄えも向上する。
【００４６】
図１０においても、仕切り部材４６は、前掲図１等に開示した第１実施例の第２箱体２０内に組み込まれた連結枠部３０の内側となる収容空間ＩＳの内部に挿入され、規定位置に配置される。仕切り部材４６には、台板部４７と物品を収容する複数の収容部４８が形成される。個々の収容部４８内に小物商品が挿入される。仕切り部材４６は商品を並べて配置、収容できるため、一つ一つの商品を際立たせて訴求効果を上げることができる。また、仕切り部材４６自体に適宜の印刷や装飾を施して商品の印象をより高めることもできる。むろん、組合せ箱に配置する仕切り部材は、図示の例示に限らず、包装対象の商品の形状、大きさ、数量等を勘案して、使用の有無をはじめ効果的な形状に作成される。
【００４７】
図１１は組合せ箱における上端部同士の合着の様子である。第１実施例の組合せ箱の第１箱体１０及び第２箱体２０を例示している。第１ないし第４実施例の組合せ箱１Ａ、１Ｂ、１Ｃ、及び１Ｄにおける第１開口部１４及び第２開口部２４は、図１１（ａ）のとおり、双方とも平坦状の上端部１３，２３として形成されている。それゆえ、第１壁部１２及び第２壁部２２は、双方とも連結枠部３０と当接することにより嵌合する。
【００４８】
これに加え、図１１（ｂ）のとおり、第１壁部１２の上端部１３に第１段部５１が形成され、第２壁部２２の上端部２３に第２段部５２も形成される。第１段部５１と第２段部５２は互いに噛み合う寸法精度により形成される。こうすると、壁部同士による合着も強化される。そこで、前述の連結枠部との当接とともに、より箱体としての合着力が高められる。なお、それぞれの壁部に形成される段部は、図示の構造に限定されることなく、組合せ箱の大きさ、形状等により適宜である。また、壁部の一部のみに形成しても良い。
【符号の説明】
【００４９】
１Ａ，１Ｂ，１Ｃ，１Ｄ  組合せ箱
１０ａ，１０ｂ，１０ｃ，１０ｄ  第１箱体
１１  第１内底部
１２  第１壁部
１３  第１壁部の上端部
１４  第１開口部
１５  第１壁部の内側面
１６，１６ｂ，１６ｃ，１６ｄ  第１箱体の外表面
２０ａ，２０ｂ，２０ｃ，２０ｄ  第２箱体
２１  第２内底部
２２  第２壁部
２３  第２壁部の上端部
２４  第２開口部
２５  第２壁部の内側面
２６，２６ｂ，２６ｃ，２６ｄ  第２箱体の外表面
３０，３０ｘ  連結枠部
３１，３２  枠部位
３４  底板部
３５  下端
３６  係止部
３７  係止孔部
４１，４６  仕切り部材
ＩＳ  収容空間
Ｈ１  第１箱体の高さ
Ｈ２  第２箱体の高さ
Ｈ３  連結枠部の高さ
【図１】
0003181926.tif 000003
【図２】
0003181926.tif 000004
【図３】
0003181926.tif 000005
【図４】
0003181926.tif 000006
【図５】
0003181926.tif 000007
【図６】
0003181926.tif 000008
【図７】
0003181926.tif 000009
【図８】
0003181926.tif 000010
【図９】
0003181926.tif 000011
【図１０】
0003181926.tif 000012
【図１１】
0003181926.tif 000013